(57)【特許請求の範囲】
【請求項１】
柄の先端に二股状に分岐する第１支持アームと第２支持アームとを有し、第１支持アームは該柄に固定的に連設され、第２支持アームは先端が上記第１支持アームに対して接離する方向に回動自在であり、
上記第１支持アームの先端には、ごみを引っ掛けて捕捉する多数の可撓性ある線状突子を外周面に備えた第１清掃ロールが回転自在に取り付けられ、上記第２支持アームの先端には、ごみを付着させて捕捉するための粘着面を外周面に備えた第２清掃ロールが回転自在に取り付けられ、
上記第１清掃ロールと第２清掃ロールとは、外周面同士を相互に接触させた状態に配設されていて、清掃時に何れか一方の清掃ロールを選択的に清掃対象物に押し付けて使用可能であると共に、他方の清掃ロールが清掃対象物に押し付けられた清掃ロールに追随して従動回転可能なるように構成されている、
ことを特徴とするロール式清掃具。
【請求項２】
上記第１支持アームが、柄の軸線方向に細長い長孔を有すると共に、該長孔内に支持ピンを有し、また、上記第２支持アームの基端部は上記長孔内に嵌合可能となっていて、該基端部に切欠を有し、該基端部を上記長孔内に嵌合させてこの切欠を上記支持ピンに係合させることにより、該第２支持アームが上記第１支持アームに対して上記支持ピンを支点として回動自在かつ着脱自在に連結されていることを特徴とする請求項１に記載のロール式清掃具。
【請求項３】
上記第１清掃ロールが、複数の線状突子を備えたパイル織物を円柱状のロール基材に巻き付けることにより形成され、また第２清掃ロールが、円柱状のロール基材に粘着シートを多重かつ剥離可能に巻き付けることにより形成されていることを特徴とする請求項１又は２に記載のロール式清掃具。
【請求項４】
上記第１清掃ロール及び第２清掃ロールを脚として自立可能であることを特徴とする請求項１から３までの何れかに記載のロール式清掃具。
【発明の詳細な説明】
【０００１】
【発明の属する技術分野】
本発明は、絨緞やカーペット等の清掃に適したロール式清掃具に関するものである。
【０００２】
【従来の技術】
例えば、絨緞やカーペットのような繊維製の敷物を清掃する場合、一般に、真空掃除機や粘着ロールなどの清掃具が使用されている。これらの清掃具は、敷物の表面に付着したり繊維間の比較的浅い部分に入り込んだ綿ぼこりや紙くず、食べ物の破片などの小片状をした通常のごみの場合には、それらの吸引力や粘着力等によって効率良く取り除くことができるが、敷物の繊維に絡み付いたり繊維間に深く入り込んだりしている人間の毛髪やペットの体毛、糸屑といったような繊維状のごみは、取り除くことが極めて困難である。
【０００３】
そこで、特開平１１−１３７５０１号公報には、このように敷物の繊維に絡み付いた繊維状のごみを除去するのに適したロール式の清掃具が提案されている。この清掃具は、多数の鈎形突子を有するパイル織物、即ち、輪奈状をしたパイルの先端部を切り開くことによって鈎形突子としたパイル織物を、円柱状の基材に巻き付けることによって清掃ロールを形成し、この清掃ロールを柄の先端に回転自在に取り付けたもので、この清掃ロールを敷物の上で転動させると、その外周の鈎形突子が適度に撓み、敷物の繊維に絡み付いている繊維状のごみを引っ掛けて捕捉するものである。
【０００４】
ところが、上記鈎形突子が捕捉した繊維状のごみは、この突子に引っ掛かった状態のまま保持され、その上に新たなごみが次々に捕捉されてくるため、そのまま清掃ロールを使用し続けると、捕捉したごみが鈎形突子やロール本体に幾重にも絡み付き、取り除きにくくなってしまう。このため、上記鈎形突子が捕捉したごみは、直ちに該鈎形突子から取り除くことが重要である。このような問題は、上記突子が鈎形をしている場合に限るものではなく、放射方向に真っ直ぐ延びる直線状をした突子の場合にも同様である。
【０００５】
また、上記のような鈎形又は直線形をした線状突子を外周に有するロール式の清掃具は、上述したように、敷物の繊維に絡み付いている人間の毛髪やペットの体毛、糸屑といったような繊維状のごみの除去には非常に有効であるが、綿ぼこりや紙くず、食べ物の破片などの小片状をした通常のごみの除去には余り適していない。そこで、繊維状のごみだけでなく、小片状をしたごみまで同様に除去することができるロール式清掃具の出現が望まれている。
【０００６】
【発明が解決しようする課題】
そこで本発明の技術的課題は、線状突子を有するロール式の清掃具を、繊維状のごみでも小片状のごみでも確実に除去することができるようにすると共に、上記線状突子が捕捉したごみを清掃を行いながら迅速かつ確実に取り除くことができるように構成することにある。
【０００７】
【課題を解決するための手段】
上記課題を解決するため本発明のロール式清掃具は、柄の先端に二股状に分岐する第１支持アームと第２支持アームとを有し、第１支持アームは該柄に固定的に連設され、第２支持アームは先端が上記第１支持アームに対して接離する方向に回動自在であり、上記第１支持アームの先端には、ごみを引っ掛けて捕捉する多数の可撓性ある線状突子を外周面に備えた第１清掃ロールが回転自在に取り付けられ、上記第２支持アームの先端には、ごみを付着させて捕捉するための粘着面を外周面に備えた第２清掃ロールが回転自在に取り付けられ、上記第１清掃ロールと第２清掃ロールとは、外周面同士が相互に接触していて、上記第１清掃ロールと第２清掃ロールとは、外周面同士を相互に接触させた状態に配設されていて、清掃時に何れか一方の清掃ロールを選択的に清掃対象物に押し付けて使用可能であると共に、他方の清掃ロールが清掃対象物に押し付けられた清掃ロールに追随して従動回転可能なるように構成されていることを特徴とするものである。
【０００８】
上記構成を有する本発明の清掃具において、第１清掃ロールを敷物などの清掃対象物に接触させ、第２清掃ロールは、第１清掃ロールとは接触するが清掃対象物とは非接触とした状態で、上記第１清掃ロールを清掃対象物の上で前後に転動させると、その外周の線状突子が適度に撓み、敷物の繊維に絡み付いている繊維状のごみを引っ掛けて捕捉する。一方、第２清掃ロールは、上記第１清掃ロールの回転に追随して従動回転し、上記線状突子が捕捉したごみを粘着面に付着させる。従って、上記線状突子が捕捉したごみは、その捕捉後直ちに第２清掃ロールによって取り除かれ、該線状突子に多重に絡みついて取り除きにくくなるといったようなことがない。
【０００９】
また、第２清掃ロールを清掃対象物に接触させて同様の操作を行うと、敷物の表面に付着したり繊維間の比較的浅い部分に入り込んだ綿ぼこりや紙くず、食べ物の破片などの小片状をしたごみや、繊維状のごみは、この第２清掃ロールの粘着面に付着して除去される。従って、上記２つの清掃ロールを使い分けることにより、繊維状のごみでも小片状のごみでも確実に除去することができる。
【００１０】
本発明においては、上記第１清掃ロールと第２清掃ロールとが、相互に接触する外周面間の摩擦力によって従動回転するように構成されている。このように、両清掃ロールを直接接触させてその接触力で従動回転させることにより、例えばそれぞれの清掃ロールに車輪を取り付け、これらの車輪を接触させて両清掃ロールを従動回転させるように構成する場合に比べ、清掃具の構成を簡略化することができる。
【００１３】
また、本発明の好ましい構成態様としては、上記第１清掃ロールは、複数の線状突子を備えたパイル織物を円柱状のロール基材に巻き付けることにより形成することができ、また第２清掃ロールは、円柱状のロール基材に粘着シートを多重かつ剥離可能に巻き付けることにより形成することができる。
【００１４】
本発明の清掃具は、上記第１清掃ロール及び第２清掃ロールを脚として自立可能であることが望ましい。
【００１５】
【発明の実施の形態】
図１〜図３は本発明に係るロール式清掃具の好ましい一つの実施形態を示すもので、この清掃具は、柄１と、該柄１の先端に互いに平行な軸線の回りに回転自在に取り付けられて外周面同士が互いに接触する第１清掃ロール２及び第２清掃ロール３とを有し、図６及び図７に示すように、何れか一方の清掃ロール２又は３を敷物等の清掃対象物５に押し付けて転動させたとき、それに追随して他方の清掃ロール３又は２が、相互間の摩擦力によって従動回転するように構成されている。
【００１６】
上記柄１は、中空状をした基端側の握持部１０と、この握持部１０の先端から実質的に二股状に分岐した状態に設けられた第１支持アーム１１及び第２支持アーム１２とを有している。上記第１支持アーム１１は、上記握持部１０の先端に該握持部１０と一体かつ該握持部１０からほぼ真っ直ぐ延出するように形成されていて、この第１支持アーム１１の先端にクランク形に屈曲する支軸１３が取り付けられ、この支軸１３の先端に上記第１清掃ロール２が、片持ち状態で水平軸線の回りに回転自在なるように支持されている。また、この第１支持アーム１１には、柄１の軸線方向に細長い長孔１４が形成され、この長孔１４の基端部寄り即ち握持部１０寄りの位置に支持ピン１５が設けられている。
【００１７】
一方の上記第２支持アーム１２は、上記柄１及び第１支持アーム１１とは別体に形成されたもので、略くの字形に屈曲し、その先端にはクランク形に屈曲する支軸１７が取り付けられ、この支軸１７の先端に上記第２清掃ロール３が、片持ち状態で水平軸線の回りに回転自在なるように支持されている。また、この第２支持アーム１２は、上記第１支持アーム１１の長孔１４内に嵌合可能な横幅を有していて、その基端部には切欠１８が形成され、該基端部を上記長孔１４内に嵌合した状態で切欠１８を上記支持ピン１５に回動自在に係合させることにより、上記柄１に着脱自在かつ回動自在に連結されており、その回動によって先端の第２清掃ロール３が、第１支持アーム１１の先端の第１清掃ロール２に接離自在となっている。図３の実線位置は、第２清掃ロール３が第１清掃ロール２に接触した状態を示し、鎖線Ａの位置は、第２清掃ロール３が第１清掃ロール２から離間した非接触位置を示している。
【００１８】
なお、鎖線Ｂの位置は、第２清掃ロール３の外周に巻かれた全ての粘着シート３０が剥離されることによって該第２清掃ロール３の直径が最小になり、それによって第２支持アーム１２が第１支持アーム１１側に最大限回動した状態を示すもので、この状態では、第２清掃ロール３が第１清掃ロール２に僅かに当接するか、又は、第２支持アーム１２が第１支持アーム１１の長孔１４の先端側の孔縁１４ａに係止している。
【００１９】
上記第１清掃ロール２は、その外周面に、ごみを引っ掛けて捕捉する多数の可撓性ある線状突子２０を有するもので、各線状突子２０は、鈎形に屈曲する先端部２０ａを有している。この清掃ロール２は、図４及び図５に示すような線状突子２０を有するパイル織物２１を、円柱状のロール基材２２に巻き付けることにより形成することができる。このパイル織物２１は、適度の剛性と弾性とを備えた合成繊維２３を、基布２４に、該基布２４の表面から輪奈状のパイル２５として突出するように織り込むと共に、各パイル２５の先端部を切り開くことによって鈎形の先端部２０ａを有する上記線状突子２０を形成したもので、このパイル織物２１を、合成繊維２３の織り込み方向Ｘを清掃ロール２の円周方向に向けるか又は軸線方向に向けた状態で上記ロール基材２２に巻き付けることにより、上記第１清掃ロール２が形成されている。
【００２０】
上記線状突子２０の剛性力及び弾性力は、第２清掃ロール３との接触圧及び清掃対象物への押付力によって該線状突子２０が弾力的に湾曲はするが、完全には座屈してしまわない程度である。
【００２１】
このようなパイル織物２１としては、面ファスナーを構成する一対の噛合体、即ち、輪奈形突子を備えた噛合体と鈎形突子を備えた噛合体のうち、鈎形突子を備えた噛合体があり、このような面ファスナーを構成する鈎形突子側の噛合体をそのまま使用することもできる。
【００２２】
なお、上記各線状突子２０は、清掃ロール２の円周方向や軸線方向あるいは螺旋方向など、一定方向を向いて整然と配列されている必要はなく、その向きはランダムであっても良い。また、該線状突子２０の先端部２０ａは、図示したように弧状に湾曲していても、鋭角的又は鈍角的に折れ曲がっていても良い。
【００２３】
一方の上記第２清掃ロール３は、ごみを付着させるための粘着面３ａを外周面に備えたものである。この第２清掃ロール３は、円柱状のロール基材３１の外周面に粘着剤を塗布することによって形成することもできるが、この実施例では、ロール基材３１の外周面に上記粘着シート３０を多重かつ剥離可能に巻き付けることにより形成されている。この場合、上記粘着シート３０にロールの軸線方向のミシン目を入れておくことにより、ごみが付着して粘着力が低下した粘着シート３０を一巻き分だけ簡単に剥離することができる。
【００２４】
上記構成を有する清掃具は、清掃対象物５が絨緞やカーペットのような繊維製の敷物である場合に好適に使用することができ、特に、該敷物５上に人の毛髪やペットの体毛あるいは糸屑等の繊維状のごみがある場合と、綿ぼこりや紙くず、食べ物の破片などの小片状をした通常のごみがある場合とで、使い分けることができる。
【００２５】
即ち、繊維状のごみがある場合には、図６に示すように、上記第１清掃ロール２を敷物５の上面に接触させると共に、第２清掃ロール３をこの第１清掃ロール２と接触するが敷物５とは非接触とし、その状態で上記第１清掃ロール２を前後に転動させると、この第１清掃ロール２に追随して第２清掃ロール３も従動回転する。このとき第１清掃ロール２においては、その外周の線状突子２０が敷物５と接触する部分で適度に撓み、該敷物上のごみ、特に該敷物５に絡み付いている人の毛髪やペットの体毛あるいは糸屑等の繊維状のごみを鈎形の先端部２０ａで引っ掛けて捕捉し、敷物５から除去する。一方、第２清掃ロール３は、その粘着面３ａが上記第１清掃ロール２の外周面、即ち線状突子２０に接触しながら、粘着力を伴う摩擦力によって従動回転しているため、この線状突子２０が捕捉したごみがその捕捉後直ちに該粘着面３ａに付着し、この線状突子２０から取り除かれることになる。
【００２６】
この結果、上記第１清掃ロール２の線状突子２０が捕捉したごみは、清掃作業中にその捕捉とほぼ同時に第２清掃ロール３によって取り除かれ、該線状突子２０に多重に絡みついて取り除きにくくなるといったようなことがない。
【００２７】
一方、敷物５上に主として綿ぼこりや紙くず、食べ物の破片などの小片状をした通常のごみがある場合には、図７に示すように、第２清掃ロール３を敷物５の上面に接触させると共に、第１清掃ロール２をこの第１清掃ロール２と接触するが敷物５とは非接触とした状態で、上記第２清掃ロール３を前後に転動させる。これにより、敷物５上のごみは該第２清掃ロール３の外周の粘着面３ａに接着されて捕捉される。この場合、第２清掃ロール３に追随して第１清掃ロール２も従動回転するが、第２清掃ロール３が捕捉したごみがこの第１清掃ロール２の線状突子２０に転移することはない。従って、このような使い方をする場合には、上記第２支持アーム１２を図３の非接触位置Ａに回動させてその位置にロックさせることにより、両清掃ロール２，３を相互に離間させた状態で使用しても良く、その場合には、上記第２支持アーム１２を非接触位置Ａにロックしておくためのロック機構が必要になる。
【００２８】
上記ロック機構としてはどのような構成のものでも良いが、例えば、図３に示すように、第１及び第２の両支持アーム１１，１２に、第２支持アーム１２が非接触位置Ａにあるとき互いに軸線が一致するように係止孔３４を形成し、これらの係止孔３４に係止ピン３５を挿入、係止させる方式であっても、第１支持アーム１１又は第２支持アーム１２に起倒自在のフックを設け、第２支持アーム１２が非接触位置Ａにあるときこのフックを起立させて該相手方の支持アームに係止せる方式とすることができる。
【００２９】
上記第２清掃ロール３の粘着面３ａにごみが付着してその粘着力が低下した場合には、多重に巻かれた粘着シート３０を一巻き分だけ剥離することによって新たな粘着面３ａを露出させる。この粘着シート３０を剥離する作業は、第２支持アーム１２を図３の鎖線で示す非接触位置Ａに回動させることにより、第２清掃ロール３を第１清掃ロール２から離間させた状態で行う。
【００３０】
また、上記第２清掃ロール３は、第１清掃ロール２に自重で当接するようになっているが、自重だけでは十分な当接力が得られない場合には、図６に鎖線で示すように、第１支持アーム１１と第２支持アーム１２との間の適宜位置に引っ張りばね３６を取り付け、この引っ張りばね３６のばね力で当接力の不足分を補うようにしても良い。
【００３１】
上記清掃具の不使用時には、図１に示すように、第１清掃ロール２と第２清掃ロール３とを同時に床面上に接触させることにより、これらの清掃ロール２，３を脚として自立させておくことができる。このような清掃具の自立は、第１支持アーム１１と第２支持アーム１２とを柄１の先端から二股状に突出させてそれらの先端にそれぞれ上記清掃ロール２，３を取り付けると共に、柄１の傾斜角度を該柄１の上端が２つの清掃ロール２，３から外方に突出しない程度に小さくすることにより、可能となる。なお、このように清掃具を自立させる際に、両清掃ロール２，３を直接床面に接触させても良いが、床面上に適当な台板を敷き、その上に立てるようにすることもできる。
【００３２】
上記実施例では、第１清掃ロール２の線状突子２０が鈎形の先端部２０ａを有しているが、このような鈎形の先端部２０ａを持たない直線状をした線状突子であっても良い。
【００３３】
【発明の効果】
以上に詳述したように本発明の清掃具によれば、可撓性ある線状突子を外周面に備えた第１清掃ロールと、粘着面を外周面に備えた第２清掃ロールとを有していて、それらを使い分けることにより、繊維状のごみであっても小片状のごみであっても確実かつ効率良く除去することができ、しかも、第１清掃ロールの線状突子が捕捉した繊維状のごみを、清掃作業中にその捕捉と同時に第２清掃ロールで迅速かつ確実に取り除くことができるため、このような繊維状のごみが突子に多重に絡みついて取り除きにくくなるといったようなことがない。
【図面の簡単な説明】
【図１】本発明に係る清掃具の一実施形態を示す側面図である。
【図２】図１の正面図である。
【図３】図２の縦断面図である。
【図４】パイル織物の要部平面図である。
【図５】図４の断面図である。
【図６】清掃具の一つの使用態様を示す側面図である。
【図７】清掃具の他の使用態様を示す側面図である。
【符号の説明】
１      柄
２      第１清掃ロール
３      第２清掃ロール
３ａ      粘着面
１１      第１支持アーム
１２      第２支持アーム
２０      線状突子
２０ａ      先端部
２１      パイル織物
２２，３１      ロール基材
３０      粘着シート
【図１】
0004409148.tif 000002
【図２】
0004409148.tif 000003
【図３】
0004409148.tif 000004
【図４】
0004409148.tif 000005
【図５】
0004409148.tif 000006
【図６】
0004409148.tif 000007
【図７】
0004409148.tif 000008